(57)【要約】【課題】編集された画像の編集箇所を容易に確認することができる画像を作成する端末装置を提供することである。【解決手段】ＰＣ１は、操作部１１と、画像編集部１５と、編集履歴画像データ作成部１８と、送信部１４２とを備える。操作部１１は、ユーザの操作に応じた操作情報を生成する。画像編集部１５は、ページ番号に対応付けられたページ画像データ５１〜５４を含む編集対象画像データ５０を取得し、ユーザにより指定されたページ画像データ５１〜５４を、ユーザの操作に応じて編集する。編集履歴画像データ作成部１８は、編集後のページ画像データ５１〜５４のページ番号を含む編集履歴情報を作成し、編集履歴情報に基づいて、編集履歴画像データ７０を作成する。送信部１４２は、編集履歴画像データ７０と、編集後のページ画像データ５１〜５４を含む編集対象画像データ５０とを含む編集画像データ６０を送信する。【選択図】図７
2011237955.tif 000002
【特許請求の範囲】
【請求項１】
ページ番号に対応付けられたページ画像データを含む編集対象画像データを取得し、ユーザにより指定されたページ画像データを、ユーザの操作に応じて編集する画像編集部と、
前記ユーザの操作に応じた操作情報に基づいて、編集後のページ画像データのページ番号を含む編集履歴情報を作成し、前記編集履歴情報に基づいて、編集履歴画像データを作成する編集履歴画像データ作成部と、
前記編集履歴画像データと、編集後のページ画像データを含む前記編集対象画像データとを含む編集画像データを出力する出力部と、
を備える端末装置。
【請求項２】
請求項１に記載の端末装置において、さらに、
前記指定されたページ画像データが編集された場合、前記ページ画像データの編集方法の種別を前記操作情報に基づいて判定する判定部と、
前記指定されたページ画像データが編集された編集回数を編集方法の種別ごとにカウントするカウント部と、
を備え、
前記編集履歴画像データ作成部は、前記指定されたページ画像データのページ番号と、前記編集方法の種別と、前記編集回数とを対応付けた前記編集履歴情報を作成する端末装置。
【請求項３】
請求項１又は請求項２に記載の端末装置において、
前記編集履歴画像データ作成部は、ユーザを識別するユーザ識別情報を取得し、取得した前記ユーザ識別情報を前記編集履歴情報に記憶する端末装置。
【請求項４】
端末装置と、デジタル複合機と、を備える画像処理システムであって、
前記端末装置は、
ページ番号に対応付けられたページ画像データを含む編集対象画像データを前記デジタル複合機から取得し、ユーザにより指定されたページ画像データを、ユーザの操作に応じて編集する画像編集部と、
前記ユーザの操作に応じた操作情報に基づいて、編集後のページ画像データのページ番号を含む編集履歴情報を作成し、前記編集履歴情報に基づいて、編集履歴画像データを作成する編集履歴画像データ作成部と、
前記編集履歴画像データと、編集後のページ画像データを含む前記編集対象画像データとを含む編集画像データを前記デジタル複合機に出力する出力部と、
を備え、
前記デジタル複合機は、
前記端末装置からの要求に応じて、前記編集対象画像データを前記端末装置に送信する送信部と、
前記編集画像データを前記端末装置から受信する受信部と、
を備える画像処理システム。
【請求項５】
デジタル複合機にネットワークを介して接続する端末装置を、
ページ番号に対応付けられたページ画像データを含む編集対象画像データを前記デジタル複合機から取得し、ユーザにより指定されたページ画像データを、ユーザの操作に応じて編集する画像編集部と、
前記ユーザの操作に応じた操作情報に基づいて、編集後のページ画像データのページ番号を含む編集履歴情報を作成し、前記編集履歴情報に基づいて、編集履歴画像データを作成する編集履歴画像データ作成部と、
前記編集履歴画像データと、編集後のページ画像データを含む前記編集対象画像データとを含む編集画像データを出力する出力部と、
として機能させるための画像処理プログラム。
【発明の詳細な説明】
【技術分野】
【０００１】
本発明は、端末装置に関し、詳しくは、画像編集機能を有する端末装置に関する。
【背景技術】
【０００２】
特開平８−１３９８８５号公報（特許文献１）には、画像を送信する場合、画像に編集情報を付加して送信し、画像とともに編集情報を受信した場合、受信した編集情報に従って画像を自動的に編集する画像通信装置が開示されている。特許文献１に係る画像通信装置は、画像を受信するための機能部として、受信部と、画像編集部と、表示部とを備える。受信部は、他の画像通信装置から送られてくる画像およびその画像に対する編集情報を受信する。画像編集部は、編集情報に基づいて受信した画像を編集する。表示部は、編集された画像を表示する。
【先行技術文献】
【特許文献】
【０００３】
【特許文献１】特開平８−１３９８８５号公報
【発明の概要】
【発明が解決しようとする課題】
【０００４】
特許文献１において、画像通信装置が画像と編集情報とを受信した場合、編集情報に基づいて編集された画像の中で、編集箇所を強調して表示する（色付け表示など）。これにより、受信側の閲覧者は、編集箇所を確認することができる。しかし、特許文献１では、受信側の画像通信装置に画像編集機能を設けなくてはならない。
【０００５】
本発明の目的は、編集された画像の編集箇所を容易に確認することができる画像を作成する技術を提供することである。
【課題を解決するための手段】
【０００６】
上記課題を解決するために、請求項１の発明は、端末装置であって、ページ番号に対応付けられたページ画像データを含む編集対象画像データを取得し、ユーザにより指定されたページ画像データを、ユーザの操作に応じて編集する画像編集部と、前記ユーザの操作に応じた操作情報に基づいて、編集後のページ画像データのページ番号を含む編集履歴情報を作成し、前記編集履歴情報に基づいて、編集履歴画像データを作成する編集履歴画像データ作成部と、前記編集履歴画像データと、編集後のページ画像データを含む前記編集対象画像データとを含む編集画像データを出力する出力部と、を備える。
【０００７】
請求項２記載の発明は、請求項１に記載の端末装置において、さらに、前記指定されたページ画像データが編集された場合、前記ページ画像データの編集方法の種別を前記操作情報に基づいて判定する判定部と、前記指定されたページ画像データが編集された編集回数を編集方法の種別ごとにカウントするカウント部と、を備える。前記編集履歴画像データ作成部は、前記指定されたページ画像データのページ番号と、前記編集方法の種別と、前記編集回数とを対応付けた前記編集履歴情報を作成する。
【０００８】
請求項３記載の発明は、請求項１又は請求項２に記載の端末装置において、前記編集履歴画像データ作成部は、ユーザを識別するユーザ識別情報を取得し、取得した前記ユーザ識別情報を前記編集履歴情報に記憶する。
【０００９】
請求項４記載の発明は、端末装置と、デジタル複合機と、を備える画像処理システムであって、前記端末装置は、ページ番号に対応付けられたページ画像データを含む編集対象画像データを前記デジタル複合機から取得し、ユーザにより指定されたページ画像データを、ユーザの操作に応じて編集する画像編集部と、前記ユーザの操作に応じた操作情報に基づいて、編集後のページ画像データのページ番号を含む編集履歴情報を作成し、前記編集履歴情報に基づいて、編集履歴画像データを作成する編集履歴画像データ作成部と、前記編集履歴画像データと、編集後のページ画像データを含む前記編集対象画像データとを含む編集画像データを前記デジタル複合機に出力する出力部と、を備え、前記デジタル複合機は、前記端末装置からの要求に応じて、前記編集対象画像データを前記端末装置に送信する送信部と、前記編集画像データを前記端末装置から受信する受信部と、を備える。
【００１０】
請求項５記載の発明は、デジタル複合機にネットワークを介して接続する端末装置を、ページ番号に対応付けられたページ画像データを含む編集対象画像データを前記デジタル複合機から取得し、ユーザにより指定されたページ画像データを、ユーザの操作に応じて編集する画像編集部と、前記ユーザの操作に応じた操作情報に基づいて、編集後のページ画像データのページ番号を含む編集履歴情報を作成し、前記編集履歴情報に基づいて、編集履歴画像データを作成する編集履歴画像データ作成部と、前記編集履歴画像データと、編集後のページ画像データを含む編集対象画像データとを含む編集画像データを出力する出力部と、として機能させるためのプログラムである。
【発明の効果】
【００１１】
本発明による端末装置は、編集履歴画像データと、編集後のページ画像データを含む編集対象画像データとを含む編集画像データを送信する。このことより、閲覧者は、ページ画像データのうち、どのページ画像データが編集されたかを確認することができる。したがって、本発明による端末装置は、編集された画像の編集箇所を容易に確認することができる画像を作成することができる。
【図面の簡単な説明】
【００１２】
【図１】本発明の実施の形態による画像編集システムの構成を示す機能ブロック図である。
【図２】本実施の形態による画像処理システムの動作である記憶処理を示すフロー図である。
【図３】図２の動作に続く、編集処理を示すシーケンス図である。
【図４】図３の動作に続く、ファクシミリ送信処理を示すシーケンス図である。
【図５】本実施の形態における編集対象画像データを示す概略図である。
【図６】図５に示した編集対象画像データから編集ページ画像データ及び編集履歴画像データを作成する動作を示すフロー図である。
【図７】本実施の形態における編集履歴情報を示す概略図である。
【図８】図５に示した編集対象画像データを編集した様子を示す概略図である。
【図９】図５に示した編集対象画像データを編集することにより作成された編集履歴画像データを含む編集画像データを示す概略図である。
【発明を実施するための形態】
【００１３】
以下、図面を参照し、本発明の実施の形態を詳しく説明する。図中同一又は相当部分には同一符号を付してその説明は繰り返さない。
【００１４】
[画像処理システムの構成]
図１を参照して、本実施の形態に係る画像処理システムの構成について説明する。画像処理システムは、ＰＣ（Ｐｅｒｓｏｎａｌ  Ｃｏｍｐｕｔｅｒ）１と、デジタル複合機２とを備える。画像処理システムは、ＰＣ１と、デジタル複合機２とがＬＡＮ（Ｌｏｃａｌ  Ａｒｅａ  Ｎｅｔｗｏｒｋ）４に接続された構成である。
【００１５】
まず、デジタル複合機２の説明をする。デジタル複合機２は、一台でプリンタ機能、ファクシミリ機能、コピー機能及びスキャン機能などの複数の機能を有する多機能周辺装置（Ｍｕｌｔｉ  Ｆｕｎｃｔｉｏｎ  Ｐｅｒｉｐｈｅｒａｌ）である。デジタル複合機２は、制御部２０と、表示部２１と、ファクシミリ部２２と、ネットワークインタフェース２３と、記憶部２４とを備える。なお、図示および説明は省略するが、デジタル複合機２は、印刷部及び操作部等も備えている。
【００１６】
制御部２０は、ＣＰＵ（Ｃｅｎｔｒａｌ  Ｐｒｏｃｅｓｓｉｎｇ  Ｕｎｉｔ）等で構成され、デジタル複合機２全体の制御を行う。
【００１７】
表示部２１は、液晶ディスプレイなどである。表示部２１には、デジタル複合機２の動作状態などが表示される。
【００１８】
ファクシミリ部２２は、図示しない公衆回線網を介して他のデジタル複合機がファクシミリ送信した画像データを受信する。また、ファクシミリ部２２は、記憶部２４に記憶している画像データを他のデジタル複合機にファクシミリ送信する。
【００１９】
ネットワークインタフェース２３は、ＬＡＮ４に接続されたＰＣ１との間で、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）を用いたデータの送受信を行う。ネットワークインタフェース２３は、送信部２３１と、受信部２３２とを備える。送信部２３１は、編集対象画像データ５０を、ＬＡＮ４を介してＰＣ１に送信する。受信部２３２は、ＰＣ１から送信された編集画像データ６０を受信する。編集対象画像データ５０及び編集画像データ６０については後述する。
【００２０】
記憶部２４は、ＨＤＤ（Ｈａｒｄ  Ｄｉｓｋ  Ｄｒｉｖｅ）等で構成される。記憶部２４は、ファクシミリ部２２が受信した画像データを記憶する。図示していないが、記憶部２４は、受信部２３２がＰＣ１から受信した編集画像データ６０を記憶する。
【００２１】
次に、ＰＣ１について説明する。ＰＣ１は、ユーザが使用する端末装置である。ＰＣ１には、画像処理プログラムがインストールされている。ＰＣ１は、表示部１０と、操作部１１と、記憶部１９と、制御部１２と、ネットワークインタフェース１４とを備える。
【００２２】
表示部１０は、液晶ディスプレイなどである。操作部１１は、キーボード及びマウス等で構成される。操作部１１は、ユーザの操作に応じた操作情報を生成する。
【００２３】
記憶部１９は、ＨＤＤ等で構成される。記憶部１９は、編集履歴情報１９１を記憶している。編集履歴情報１９１については後述する。
【００２４】
制御部１２は、ＣＰＵ等で構成され、ＰＣ１全体の制御を行う。制御部１２は、画像編集部１５と、判定部１６と、カウント部１７と、編集履歴画像データ作成部１８とを備える。画像編集部１５と、判定部１６と、カウント部１７と、編集履歴画像データ作成部１８とは、画像処理プログラムが、ＣＰＵ等のハードウェア資源を利用して実行されることにより実現される機能部である。
【００２５】
画像編集部１５は、ネットワークインタフェース１４から編集対象画像データ５０を取得する。画像編集部１５は、操作部１１に入力された操作情報に基づいて、編集対象画像データ５０を編集することにより編集画像データ６０を作成する。
【００２６】
判定部１６は、編集対象画像データ５０が編集された場合、編集対象画像データ５０の編集方法の種別を判定する。カウント部１７は、判定部１６において判定された編集方法により編集対象画像データ５０が編集された編集回数をカウントする。判定部１６及びカウント部１７の詳細は、後述する。
【００２７】
編集履歴画像データ作成部１８は、記憶部１９に記憶された編集履歴情報１９１に基づいて、編集履歴画像データ７０（図９参照）を作成する。編集履歴画像データ７０は、編集画像データ６０に含まれる。編集履歴画像データ７０の詳細は、後述する。
【００２８】
ネットワークインタフェース１４は、ＬＡＮ４に接続されたデジタル複合機２との間で、ＴＣＰ／ＩＰを用いたデータの送受信を行う。ネットワークインタフェース１４は、受信部１４１と、送信部１４２とを備える。受信部１４１は、デジタル複合機２から送信された編集対象画像データ５０を受信する。送信部１４２は、編集画像データ６０をデジタル複合機２に送信する。
【００２９】
[画像処理システムの動作]
図２〜図９を参照して、画像処理システムの動作を説明する。画像処理システムでは、デジタル複合機２が他のデジタル複合機から受信した画像データをＰＣ１で編集し、編集された画像データ（編集画像データ６０）を、デジタル複合機２から他のデジタル複合機に返信する処理が行われる。このため、画像処理システムは、記憶処理（図２のフローチャート）と、編集処理（図３のシーケンス図）と、ファクシミリ送信処理（図４のシーケンス図）とを実行する。
【００３０】
記憶処理は、デジタル複合機２により実行される処理であり、図示しない他のデジタル複合機からファクシミリ受信した画像データを、記憶部２４に記憶する処理である。編集処理は、ＰＣ１により実行される処理である。編集処理において、ＰＣ１は、デジタル複合機２から編集対象画像データ５０を取得して、取得した編集対象画像データ５０を編集することにより編集画像データ６０を作成する。ファクシミリ送信処理は、ＰＣ１の指示に応じて、デジタル複合機２が編集画像データ６０をファクシミリ送信する処理である。ファクシミリの送信先は、記憶処理において画像データを最初に送信した他のデジタル複合機である。なお、ファクシミリの送信先は、記憶処理において画像データを最初に送信した他のデジタル複合機でなくてもよい。
【００３１】
[記憶処理]
まず、図２を参照して、記憶処理について説明する。記憶処理は、デジタル複合機２が他のデジタル複合機から画像データを受信することにより開始される。
【００３２】
デジタル複合機２のファクシミリ部２２は、他のデジタル複合機がファクシミリ送信した画像データを受信する（ステップＳ１）。記憶部２４は、ファクシミリ部２２が受信した画像データを記憶する（ステップＳ２）。
【００３３】
[編集処理]
次に、図３を参照して、編集処理を説明する。ユーザがＰＣ１の操作部１１を操作することにより、記憶部２４に記憶されている画像データのうち、所望の画像データを指定する（ステップＳ１０）。このように指定された画像データを編集対象画像データ５０と定義する。本実施の形態では、図５のような編集対象画像データ５０が指定されている。編集対象画像データ５０は、ページ画像データ５１，５２，５３，５４で構成される。ページ画像データ５１，５２，５３，５４は、ページ番号に対応付けられている。本実施の形態では、ページ画像データ５１，５２，５３，５４のページ番号は、それぞれ１ページ，２ページ，３ページ，４ページとなる。ＰＣ１は、デジタル複合機２に対して編集対象画像データ５０（ページ画像データ５１，５２，５３，５４）の送信を要求する（ステップＳ１１）。
【００３４】
ステップＳ１１の要求に応じて、送信部２３１は、記憶部２４に記憶された編集対象画像データ５０を、ＬＡＮ４を介してＰＣ１に送信する（ステップＳ１２）。具体的には、送信部２３１は、記憶部２４に記憶されている画像データの中から編集対象画像データ５０を読み出し、読み出した編集対象画像データ５０を、ＬＡＮ４を介してＰＣ１に送信する。
【００３５】
受信部１４１は、デジタル複合機２が送信した編集対象画像データ５０を受信する（ステップＳ１３）。受信された編集対象画像データ５０は、記憶部２４に記憶される。記憶された編集対象画像データ５０は、表示部２１に表示される。なお、受信した編集対象画像データ５０は、記憶部２４に記憶されることなく、表示部２１に表示されてもよい。
【００３６】
画像編集部１５は、操作部１０から入力される操作情報に応じて、編集対象画像データ５０を編集する。これにより、画像編集部１５は、編集画像データ６０を作成する（ステップＳ１４）。以下に、図６を参照して、編集画像データ６０が作成される処理（ステップＳ１４）を詳しく説明する。
【００３７】
｛編集画像データ６０の作成｝
まず、編集履歴画像データ作成部１８は、各ページ画像データの編集履歴を示す編集履歴情報１９１を新規に作成する。図７は、編集履歴情報１９１を示す図である。編集履歴情報１９１には、編集者名と、ページ番号と、編集方法と、編集回数とを入力するフィールドが設けられている。編集履歴情報１９１が作成された時点で、編集履歴情報１９１の各フィールドは、空欄である。
【００３８】
図６に示すように、編集履歴画像データ作成部１８は、ユーザを識別するユーザ識別情報を取得し、取得したユーザ識別情報を編集履歴情報１９１の編集者のフィールドに記録する（ステップＳ１４１）。具体的には、ＰＣ１のユーザは、操作部１１を操作することにより自分の名前として、「編集者Ａ」を入力する。編集履歴画像データ作成部１８は、編集履歴情報１９１の編集者名のフィールドに、ユーザ識別情報として「編集者Ａ」を書き込む。なお、ＰＣ１は、ユーザがＰＣ１にログインした際に用いたユーザＩＤを記憶している。このことより、編集履歴画像データ作成部１８は、ユーザが入力した「編集者Ａ」に代えて、ＰＣ１が記憶しているユーザＩＤを編集履歴情報１９１の編集者名のフィールドに書き込んでもよい。
【００３９】
上述したように、表示部１０には、編集対象画像データ５０（ページ画像データ５１，５２，５３，５４）が表示される。ＰＣ１のユーザは、表示部１０に表示された編集対象画像データ５０を見ながら、編集を行うページ画像データに対応するページ番号を指定する（ステップＳ１４２）。ここでは、ＰＣ１のユーザは、１ページ目（ページ画像データ５１）を指定する。画像編集部１５は、指定されたページ番号（１ページ）を記憶する。
【００４０】
画像編集部１５は、操作部１１から入力された操作情報に基づいて、指定されたページ画像データ５１を編集する。このとき、ＰＣ１では、編集対象画像データ５０の編集履歴を取得する処理（ステップＳ１４３〜１４７）が行われる。
【００４１】
ＰＣ１は、ページ画像データ５１の編集が指示されたか否かを判定する（ステップＳ１４３）。編集が指示されていない場合（ステップＳ１４３でＮＯ）、ＰＣ１は、ステップＳ１４１に戻る。
【００４２】
ページ画像データ５１の編集が指示された場合（ステップＳ１４３でＹＥＳ）、編集履歴画像データ作成部１８は、ページ画像データ５１のページ番号を編集履歴情報１９１に記憶する（ステップＳ１４４）。具体的には、編集履歴画像データ作成部１８は、画像編集部１５が記憶しているページ番号に基づいて、編集履歴情報１９１のページ番号のフィールドにページ画像データ５１のページ番号である「１ページ」を書き込む。既に、編集履歴情報１９１に「１ページ」が書き込まれている場合、ステップＳ１４４の処理は、省略される。
【００４３】
判定部１６は、操作部１１から入力された操作情報に基づいて、ユーザが指示した編集方法を判定する（ステップＳ１４５）。たとえば、判定部１６は、ユーザがマウスを操作してページ画像データ５１に対する描画を指示した場合、指示された編集方法が「手書き編集」であると判定する。また、判定部１６は、ユーザがキーボードを操作することによりページ画像データ５１にテキストの入力を指示した場合、指示された編集方法が「テキスト編集」であると判定する。
【００４４】
図８は、編集対象画像データ５０において、編集された箇所を示す図である。ページ画像データ５１において、ハッチングで示す編集箇所６１０は、手書き編集が行われた箇所である。砂地模様で示す編集箇所６１１は、テキスト編集が行われた箇所である。
【００４５】
カウント部１７は、ページ画像データ５１が「手書き編集」または「テキスト編集」により編集された編集回数を、判定部１６の判定結果に応じてカウントする（ステップＳ１４６）。具体的には、カウント部１７は、「手書き編集」の編集回数と、「テキスト編集」との編集回数とをそれぞれ管理している。「手書き編集」及び「テキスト編集」の編集回数の初期値は、「０」である。「手書き編集」が行われたと判定された場合、カウント部１７は、「手書き編集」の編集回数を１回増加させる。この結果、手書き編集の編集回数は、「１」となる。
【００４６】
ＰＣ１は、カウント部１７が管理する編集回数に基づいて、編集履歴情報１９１を更新する（ステップＳ１４７）。たとえば、編集履歴画像データ作成部１８は、判定部１６により「手書き編集」が行われたと判定された場合、編集履歴情報１９１の編集方法のフィールドに「手書き編集」を書き込む。編集履歴画像データ作成部１８は、手書き編集の編集回数のフィールドに「１」を書き込む。以下、ページ画像データ５１において「手書き編集」が行われるたび、編集履歴情報１９１における「１ページ」に対応する「手書き編集」の編集回数のフィールドが更新される。
【００４７】
ページ画像データ５１において、「テキスト編集」が行われた場合、上記と同様の処理が行われる。つまり、ページ画像データ５１において「テキスト編集」が行われるたび、「１ページ」に対応する「テキスト編集」の編集回数のフィールドが更新される。
【００４８】
ステップ１４７の後、編集対象画像データ５０の編集が終了したか否かを判定する（ステップＳ１４８）。編集対象画像データ５０の編集が終了していない場合（ステップＳ１４８でＮＯ）、ステップＳ１４２に戻る。そして、ＰＣ１は、上記の動作（ステップＳ１４２〜Ｓ１４８）を繰り返して、ページ画像データ５２，５３，５４を編集する。図８に示したページ画像データ５２，５３，５４においてハッチングで示す丸印は、手書き編集が行われた箇所を示し、砂地模様で示す丸印は、テキスト編集が行われた箇所を示す。ページ画像データ５１，５２，５３，５４が編集されることにより、編集ページ画像データ６１，６２，６３，６４が生成される（図９参照）。
【００４９】
全ての編集対象画像データ５０の編集が終了している場合（ステップＳ１４８でＹＥＳ）、編集履歴画像データ作成部１８は、編集履歴情報１９１に基づいて、編集履歴画像データ７０を作成する（ステップＳ１４９）。具体的には、図９に示していないが、編集履歴画像データ７０には、図７に示す編集履歴情報１９１の表がそのままイメージ化されて書き込まれている。
【００５０】
画像編集部１５は、編集された編集対象画像データ５０（編集ページ画像データ６１，６２，６３，６４）と、編集履歴画像データ７０とを含む編集画像データ６０作成する（ステップ１５０）。図９は、編集画像データ６０を示す図である。編集ページ画像データ６１，６２，６３，６４は、編集後のページ画像データ５１，５２，５３，５４にそれぞれ対応する。編集履歴画像データ７０は、編集画像データ６０において、最終ページの画像データである。このようにして、編集画像データ６０の作成は、終了する。
【００５１】
図３を参照する。ステップＳ１４の後、送信部１４２は、編集履歴画像データ７０を含む編集画像データ６０を、ＬＡＮ４を介してデジタル複合機２に送信する（ステップＳ１５）。
【００５２】
受信部２３２は、編集履歴画像データ７０を含む編集画像データ６０をＰＣ１から受信する（ステップＳ１６）。記憶部２４は、受信した編集履歴画像データ７０を含む編集画像データ６０を記憶する（ステップＳ１７）。
【００５３】
[ファクシミリ送信処理]
次に、図４を参照して、ファクシミリ送信処理を説明する。ＰＣ１のユーザが、編集画像データ６０を他のデジタル複合機に送信する場合について説明する。
【００５４】
まず、ＰＣ１のユーザは、操作部１１を操作することにより、デジタル複合機２に対して、編集画像データ６０のファクシミリ送信を要求する（ステップＳ２０）。このとき、ＰＣ１のユーザは、編集対象画像データ５０の送信元を、ファクシミリ送信の送信先として指定する。
【００５５】
ステップＳ２０の要求に応じて、デジタル複合機２のファクシミリ部２２は、記憶部２４に記憶されている編集履歴画像データ７０を含む編集画像データ６０をファクシミリ送信により、送信元のデジタル複合機にファクシミリ送信する（ステップＳ２１）。
【００５６】
ファクシミリを受信したデジタル複合機の閲覧者は、図９に示す編集画像データ６０を取得する。このことより、閲覧者は、編集ページ画像データ６１，６２，６３，６４と、編集履歴情報１９１が書き込まれた編集履歴画像データ７０と、を閲覧することができる。したがって、閲覧者は、編集ページ画像データ６１，６２，６３，６４の編集箇所を容易に確認することができる。
【００５７】
[本実施の形態の効果]
本実施の形態によるＰＣ１は、編集履歴情報１９１に基づいて編集履歴画像データ７０を作成する。画像編集部１５は、作成された編集履歴画像データ７０と、編集されたページ画像データ５１，５２，５３，５４（編集ページ画像データ６１，６２，６３，６４）とを編集画像データ６０として保存する。このことより、編集画像データ６０の閲覧者は、編集履歴画像データ７０を確認することで、編集ページ画像データ６１，６２，６３，６４に編集箇所が存在することを容易に確認することができる。したがって、ファクシミリ送信により編集画像データ６０を受信するデジタル複合機に画像編集機能を設けることなく、編集画像データ６０の閲覧者に編集ページ画像データ６１，６２，６３，６４の編集履歴を確認させることができる。
【００５８】
編集履歴画像データ７０には、各編集ページ画像データ６１，６２，６３，６４における編集方法と編集回数とが対応付けられている。したがって、閲覧者は、各編集ページ画像データ６１，６２，６３，６４がどのような方法により編集されているかを確認することができる。さらに、編集履歴画像データ７０では、ページ毎に編集方法と、編集回数とが対応付けて記憶されているので、閲覧者は、各編集ページ画像データ６１，６２，６３，６４の編集箇所の個数を容易に確認することができる。よって、閲覧者は、編集箇所を見落としにくくなる。
【００５９】
[他の実施の形態]
本実施の形態では、ＰＣ１のユーザ一人だけが、編集画像データ５０を編集している。しかし、ＰＣ１のユーザが編集ページ画像データ６１，６２，６３，６４を作成した後、別のユーザが編集ページ画像データ６１，６２，６３，６４をさらに編集してもよい。この場合、編集履歴画像データ作成部１８は、ＰＣ１のユーザに対応する編集履歴画像データ７０に加え、他のユーザに対応する新たな履歴画像データを作成する。したがって、履歴画像データ７０は、編集者の数に応じて作成されることになる。
【００６０】
また、画像処理システムの動作では、編集履歴画像データ７０を含む編集画像データ６０をファクシミリ送信しているが、これに限定されない。例えば、履歴画像データ７０を含む編集画像データ６０を印刷してもよい。また、本実施の形態では、他のデジタル複合機からファクシミリ送信された画像データを編集対象画像データ５０としているが、これに限定されない。例えば、編集対象画像データ５０は、紙文書がスキャンされることにより生成された画像データであってもよい。
【００６１】
また、画像編集部１５は、ページ画像データ５１，５２，５３，５４を編集することにより編集ページ画像データ６１，６２，６３，６４を作成しているが、これに限定されない。例えば、画像編集部１５は、ページ画像データ５１，５３，５４を編集することにより編集ページ画像データ６１，６３，６４を作成してもよい。この場合、編集画像データ６０は、編集ページ画像データ６２に代えて、ページ画像データ５２を含む。
【符号の説明】
【００６２】
１１  操作部
１５  画像編集部
１６  判定部
１７  カウント部
１８  編集履歴画像データ作成部
１４１  受信部
１４２  送信部
【図１】
2011237955.tif 000003
【図２】
2011237955.tif 000004
【図３】
2011237955.tif 000005
【図４】
2011237955.tif 000006
【図５】
2011237955.tif 000007
【図６】
2011237955.tif 000008
【図７】
2011237955.tif 000009
【図８】
2011237955.tif 000010
【図９】
2011237955.tif 000011